(57)【要約】【課題】一対のケース半体２、３を互いに接合して筐体１が構成されている屋外設置機器において、特別な治具を用いることなく両ケース半体の接合面の外周部にのみ塗装を施す。【解決手段】本発明に係る筐体構造において、両ケース半体２、３は、筐体１として組み立てられた第１接合状態と該接合状態から１８０度だけ相対回転した第２接合状態で互いに対向可能な接合面を有し、両ケース半体２、３の係合部には、第１接合状態にて接合面どうしの密着を許容すると共に第２接合状態にて両接合面を所定のギャップだけ離間させる段付きボス５、４が形成されている。又、一方の接合面には、その内周部に、筐体１の内部空間を包囲して全周を伸びるリブ６が突設され、他方の接合面には、該リブ６が嵌合すべき凹部７が形成されている。【選択図】      図３
2004282351.tif 000002
【特許請求の範囲】
【請求項１】
密閉された内部空間を有する金属製の筐体（１）を具え、該筐体（１）は一対のケース半体（２）（３）を互いに接合して構成され、筐体（１）の表面には塗装が施されている屋外設置機器において、両ケース半体（２）（３）は、筐体（１）として組み立てられた第１接合状態と該接合状態から所定角度だけ相対回転した第２接合状態の２つの接合状態で互いに対向可能な接合面を有し、両ケース半体（２）（３）には、第１接合状態にて接合面どうしの密着を許容すると共に第２接合状態にて両接合面を所定のギャップＧだけ離間させる係合部が形成され、一方の接合面には、その内周部に、筐体（１）の内部空間を包囲して全周を伸びるリブ（６）が突設され、他方の接合面には、該リブ（６）が嵌合すべき凹部（７）が形成され、該リブ（６）は、前記ギャップＧ以上の高さを有していることを特徴とする屋外設置機器の筐体構造。
【請求項２】
何れか一方のケース半体（２）には、他方のケース半体（３）に対向して、低位部（５１）及び高位部（５２）からなる段付きボス（５）が複数箇所に形成されると共に、前記他方のケース半体（３）には、前記段付きボス（５）に対向して、高位部（４１）及び低位部（４２）からなる段付きボス（４）が形成され、両段付きボス（５）（４）によって前記係合部が構成され、第１接合状態と第２接合状態で両ケース半体（２）（３）の段付きボス（５）（４）は互いに係合可能であって、第１接合状態では段付きボス（５）（４）の低位部と高位部が互いに対向すると共に、第２接合状態では段付きボス（５）（４）の高位部どうしが互いに当接する請求項１に記載の筐体構造。
【請求項３】
両ケース半体（２）（３）の接合面には、リブ（６）及び凹部（７）が形成されている領域よりも外側の領域に塗装が施され、リブ（６）の先端面と凹部（７）の底面とが互いに金属接触している請求項１又は請求項２に記載の筐体構造。
【発明の詳細な説明】
【０００１】
【発明の属する技術分野】
本発明は、例えばＰＨＳ（パーソナルハンディフォンシステム）の基地局を構成する送受信機の如く屋外に設置される各種の機器において、機器本体を内蔵した金属製の筐体の構造に関し、より具体的には、腐食防止効果と電気的シールド効果とを発揮すべき筐体構造に関するものである。
【０００２】
【従来の技術】
従来、ＰＨＳの基地局を構成する送受信機は、図１に示す如き金属製の筐体（１）を具え、該筐体（１）によって内部空間を電気的にシールドしている（特許文献１参照）。
【０００３】
又、筐体（１）は、屋外で風雨に晒されるため、表面に塗装を施すことによって、腐食防止が図られている。ここで、筐体（１）を構成する下半ケース半体（２）と上半ケース半体（３）の接合面には、筐体（１）の内部空間を包囲する外周部にのみ塗装を施し、内周部は金属面を露出させて、両ケース半体（２）（３）の電気的な接続を確保して、シールド効果を維持している。
【０００４】
【特許文献１】
特許第３３４９３５１号公報
【０００５】
【発明が解決しようとする課題】
しかしながら、両ケース半体の接合面の外周部にのみ塗装を施すためには、塗装時に接合面の内周部を覆う特別な治具が必要であり、該治具を取り付ける作業も必要となって、製造コストの増大や工数の増加を招く問題があった。
そこで本発明の目的は、特別な治具を用いることなく両ケース半体の接合面の外周部にのみ塗装を施して、腐食防止効果と電気的シールド効果の両方を確保することが出来る筐体構造を提供することである。
【０００６】
【課題を解決する為の手段】
本発明に係る屋外設置機器の筐体構造において、金属製の筐体（１）は、一対のケース半体（２）（３）を互いに接合して構成され、筐体（１）の表面には塗装が施されている。
両ケース半体（２）（３）は、筐体（１）として組み立てられた第１接合状態と該接合状態から所定角度だけ相対回転した第２接合状態の２つの接合状態で互いに対向可能な接合面を有し、両ケース半体（２）（３）には、第１接合状態にて接合面どうしの密着を許容すると共に第２接合状態にて両接合面を所定のギャップＧだけ離間させる係合部が形成されている。
又、一方の接合面には、その内周部に、筐体（１）の内部空間を包囲して全周を伸びるリブ（６）が突設され、他方の接合面には、該リブ（６）が嵌合すべき凹部（７）が形成され、該リブ（６）は、前記ギャップＧ以上の高さを有している。
【０００７】
上記本発明の筐体構造においては、筐体（１）の表面に塗装を施す工程にて、両ケース半体（２）（３）を第２接合状態で接合する。これによって、両ケース半体（２）（３）の係合部が互いに係合して、両接合面の間には、所定のギャップＧが形成されることになる。
これに伴って、一方の接合面に突設されたリブ（６）は、他方の接合面に形成された凹部（７）から大部分が抜け出して、前記ギャップＧだけ離れて互いに対向する２つの接合面の外周部とリブ（６）の側面によって、奥方が行き止まりの空間が形成されることになる。
【０００８】
この状態で、両ケース半体（２）（３）の前記空間へ向けて塗料を吹き付けることによって、両接合面の外周部とリブ（６）の側面に塗装が施される、ここで、両接合面の内周部、即ちリブ（６）の先端面と凹部（７）の底面は、前記空間に露出していないので、塗装が施されることはない。又、筐体（１）の内部に塗料が吹き込まれることもない。
【０００９】
塗装終了後、組立工程では、両ケース半体（２）（３）を第１接合状態で接合する。これによって、両ケース半体（２）（３）の係合部が互いに係合すると共に、一方の接合面に突設されたリブ（６）が他方の接合面に形成された凹部（７）に嵌合して、互いに対向する２つの接合面が互いに密着することになる。
この状態で、リブ（６）の先端面と凹部（７）の底面とが互いに金属接触して、両ケース半体（２）（３）が互いに電気的に接続されることになる。
【００１０】
具体的構成において、何れか一方のケース半体（２）には、他方のケース半体（３）に対向して、低位部（５１）及び高位部（５２）からなる段付きボス（５）が複数箇所に形成されると共に、前記他方のケース半体（３）には、前記段付きボス（５）に対向して、高位部（４１）及び低位部（４２）からなる段付きボス（４）が形成され、両段付きボス（５）（４）によって前記係合部が構成されている。
第１接合状態と第２接合状態で両ケース半体（２）（３）の段付きボス（５）（４）は互いに係合可能である。第１接合状態では段付きボス（５）（４）の低位部と高位部が互いに対向して、両ケース半体（２）（３）の接合面どうしの密着を許容する。又、第２接合状態では段付きボス（５）（４）の高位部どうしが互いに当接して、両接合面を所定のギャップＧだけ離間させる。
【００１１】
【発明の効果】
本発明に係る屋外設置機器の筐体構造によれば、特別な治具を用いることなく両ケース半体の接合面の外周部にのみ塗装を施して、腐食防止効果と電気的シールド効果の両方を確保することが出来る。
【００１２】
【発明の実施の形態】
以下、本発明をＰＨＳの基地局を構成する送受信機に実施した形態につき、図面に沿って具体的に説明する。
本発明に係る送受信機は、図１に示す如く、下半ケース半体（２）と上半ケース半体（３）を接合してなる金属製の筐体（１）を具えており、筐体（１）の内部に密閉空間が形成され、筐体（１）の表面には腐食防止のための塗装が施されている。
【００１３】
下半ケース半体（２）と上半ケース半体（３）はそれぞれ直方体状を呈し、両ケース半体（２）（３）の接合部には、図２に示す如く通常の組立形態である第１接合状態で互いに密着可能なフランジ（２１）（３１）が突設されている。これらのフランジ（２１）（３１）は、図３に示す如く前記第１接合状態から１８０度だけ相対回転した第２接合状態においても互いに対向することとなる。
【００１４】
図２に示す如く、下半ケース半体（２）の四隅には、低位部（５１）と高位部（５２）からなる段付きボス（５）が、上半ケース半体（３）へ向けて形成されており、これらの段付きボス（５）は、低位部（５１）と高位部（５２）の配置方向が揃っている。
一方、上半ケース半体（３）には、下半ケース半体（２）の各段付きボス（５）に対向して、高位部（４１）及び低位部（４２）からなる段付きボス（４）が形成されている。これらの段付きボス（４）も、高位部（４１）と低位部（４２）の配置方向が揃っているが、前記下半ケース半体（２）側の段付きボス（５）の低位部（５１）と高位部（５２）の配列方向とは逆の位置関係となっている。
【００１５】
従って、図２に示す第１接合状態では、下半ケース半体（２）の段付きボス（５）の低位部（５１）と上半ケース半体（３）の段付きボス（４）の高位部（４１）が互いに対向すると共に、下半ケース半体（２）の段付きボス（５）の高位部（５２）と上半ケース半体（３）の段付きボス（４）の低位部（４２）とが互いに対向する。これによって、下半ケース半体（２）のフランジ（２１）と上半ケース半体（３）のフランジ（３１）とは互いに密着することになる（図４参照）。
【００１６】
これに対し、図３に示す第２接合状態では、下半ケース半体（２）の段付きボス（５）の低位部（５１）と上半ケース半体（３）の段付きボス（４）の低位部（４２）とが互いに対向すると共に、下半ケース半体（２）の段付きボス（５）の高位部（５２）と上半ケース半体（３）の段付きボス（４）の高位部（４１）とが互いに当接する。これによって、下半ケース半体（２）のフランジ（２１）と上半ケース半体（３）のフランジ（３１）との間には、ギャップＧが形成されることになる（図５参照）。
【００１７】
又、図２及び図３に示す如く、上半ケース半体（３）のフランジ（３１）には、下半ケース半体（２）のフランジ（２１）との接合面に、内部空間寄りの内周部を全長に亘って伸びるリブ（６）が突設されている。該リブ（６）は、前記ギャップＧよりも僅かに大きな高さを有している。
【００１８】
一方、下半ケース半体（２）のフランジ（２１）には、上半ケース半体（３）のフランジ（３１）との接合面に、前記リブ（６）が嵌合すべき凹部（７）が形成されており、図２に示す第１接合状態では、図４に示す如く、下半ケース半体（２）のフランジ（２１）と上半ケース半体（３）のフランジ（３１）とが互いに密着すると共に、リブ（６）が凹部（７）に嵌合して、リブ（６）の先端面と凹部（７）の底面とが互いに密着する。
【００１９】
上記本発明の送受信機の組立工程においては、先ず筐体（１）の表面に塗装を施す。この際、下半ケース半体（２）と上半ケース半体（３）とを図３に示す第２接合状態で接合する。これによって、図６に示す如く、下半ケース半体（２）の段付きボス（５）の高位部（５２）と上半ケース半体（３）の段付きボス（４）の高位部（４１）とが互いに当接して、両ケース半体（２）（３）のフランジ（２１）（３１）間にギャップＧが形成され、これに伴って、上半ケース半体（３）のリブ（６）の大部分が下半ケース半体（２）の凹部（７）から抜け出すことになる。
この結果、両ケース半体（２）（３）のフランジ（２１）（３１）間には、ギャップＧだけ離れて互いに対向する２つの接合面の外周部Ａ、Ｃとリブ（６）の側面Ｂとによって、奥方が行き止まりの空間が形成されることになる。
【００２０】
この状態で、図６中に破線の矢印で示す様に、両フランジ（２１）（３１）間の前記空間へ向けて塗料を吹き付ける。これによって、両接合面の外周部Ａ、Ｃとリブ（６）の側面Ｂに塗装が施されることになる。ここで、両接合面の内周部、即ちリブ（６）の先端面と凹部（７）の底面は、前記空間に露出していないので、塗装が施されることはない。又、筐体（１）の内部はリブ（６）によって閉止されているので、内部に塗料が吹き込まれることもない。
【００２１】
塗装終了後、筐体（１）の組立工程では、図２に示す様に両ケース半体（２）（３）を第１接合状態で接合する。これによって、図４に示す如く、下半ケース半体（２）の段付きボス（５）と上半ケース半体（３）の段付きボス（４）とが互いに噛み合って、両ケース半体（２）（３）のフランジ（２１）（３１）は互いに密着することになる。
この状態で、リブ（６）の先端面と凹部（７）の底面とは互いに金属接触するので、両ケース半体（２）（３）が互いに電気的に接続されることになる。又、両ケース半体（２）（３）のフランジ（２１）（３１）の接合面には、その外周部に塗装が施されているので、外周部に水分が侵入したとしても、接合面に腐食が生じる虞はない。
【００２２】
尚、図６に示す如く、下半ケース半体（２）のフランジ（２１）には、上半ケース半体（３）のフランジ（３１）との対向面に、Ｏリングを挿入すべき溝（２２）が凹設され、組立時には、該溝（２２）にＯリングが装着されて、両ケース半体（２）（３）間にシールが施される。
【００２３】
上述の如く、本発明に係る筐体構造によれば、塗装工程にて特別な治具を用いることなく両ケース半体（２）（３）の接合面の外周部にのみ塗装を施すことが可能であり、これによって、製造コストの削減、塗装工程の工数削減、ひいては生産能力の向上を図ることが出来る。
【図面の簡単な説明】
【図１】本発明に係る送受信機を構成する筐体の斜視図である。
【図２】第１接合状態の下半ケース半体と上半ケース半体の一部破断分解斜視図である。
【図３】第２接合状態の下半ケース半体と上半ケース半体の一部破断分解斜視図である。
【図４】第１接合状態の下半ケース半体と上半ケース半体の断面図である。
【図５】第２接合状態の下半ケース半体と上半ケース半体の断面図である。
【図６】第２接合状態の下半ケース半体と上半ケース半体の要部を示す拡大断面図である。
【符号の説明】
（１）  筐体
（２）  下半ケース半体
（２１）  フランジ
（２２）  溝
（３）  上半ケース半体
（３１）  フランジ
（４）  段付きボス
（４１）  高位部
（４２）  低位部
（５）  段付きボス
（５１）  低位部
（５２）  高位部
（６）  リブ
（７）  凹部
【図１】
2004282351.tif 000003
【図２】
2004282351.tif 000004
【図３】
2004282351.tif 000005
【図４】
2004282351.tif 000006
【図５】
2004282351.tif 000007
【図６】
2004282351.tif 000008